(57)【要約】【課題】風路開閉ダンパの点検を容易に行えるようにした熱交換型換気装置を提供する。【解決手段】熱交換型換気装置１Ａは、屋外から吸い込まれた外気と、室内から吸い込まれた還気との間で熱交換を行う熱交換素子２と、熱交換素子２が取り付けられる装置本体１０と、熱交換素子２が装置本体１０に対して挿抜される着脱口１３ａと、装置本体１０の上面部１０Ｕに設けられる還気吸込口１０ＲＡと、還気吸込口１０ＲＡを通る空気が熱交換素子２を通る第２の熱交換風路２０ｂと、還気吸込口１０ＲＡを通る空気が熱交換素子２を通らず熱交換素子２をバイパスするバイパス風路１８と、バイパス風路を開閉する風路開閉ダンパ４Ａと、着脱口１３ａの外側である還気吸込口１０ＲＡに設けられ、装置本体１０に対して風路開閉ダンパ４Ａが着脱される取付部１０Ａとを備える。【選択図】    図１
2019158244.tif 000002
【特許請求の範囲】
【請求項１】
屋外から吸い込まれた外気と、室内から吸い込まれた還気との間で熱交換を行う熱交換素子と、
前記熱交換素子が取り付けられる装置本体と、
前記熱交換素子が前記装置本体に対して挿抜される着脱口と、
前記装置本体の上面部に設けられる通風口と、
前記通風口を通る空気が前記熱交換素子を通る熱交換風路と、
前記通風口を通る空気が前記熱交換素子を通らず前記熱交換素子をバイパスする非熱交換風路と、
前記非熱交換風路を開閉する風路開閉部と、
前記着脱口の外側に設けられ、前記装置本体に対して前記風路開閉部が着脱される取付部と
を備えた換気装置。
【請求項２】
前記取付部は、前記通風口に設けられ、前記風路開閉部が前記装置本体に上面から着脱される
請求項１に記載の換気装置。
【請求項３】
前記取付部は、前記装置本体の正面側に設けられ、前記風路開閉部が前記装置本体に正面から着脱される
請求項１に記載の換気装置。
【請求項４】
前記通風口に取り付けられる押さえ部材を備え、前記風路開閉部は前記押さえ部材で前記通風口に固定される
請求項２に記載の換気装置。
【請求項５】
前記通風口に取り付けられるダクト取付部材を備え、前記風路開閉部は前記ダクト取付部材で前記通風口に固定される
請求項２に記載の換気装置。
【請求項６】
前記風路開閉部は、風路を開閉する開閉板と、前記開閉板が取り付けられる筐体と、前記筐体の外側に突出するフランジ部を備え、
前記フランジ部が前記取付部に押し付けられる
請求項１〜請求項５の何れか１項に記載の換気装置。
【請求項７】
前記通風口の下側に、前記非熱交換風路とつながる風路入口を備え、
前記開閉板は、軸を支点とした回転動作で前記風路入口を開閉し、前記軸が前記風路入口に沿った位置に設けられる
請求項６に記載の換気装置。
【発明の詳細な説明】
【技術分野】
【０００１】
本発明は、外気と室内の空気との間で熱交換を行って給排気を行う熱交換型の換気装置に関する。
【背景技術】
【０００２】
従来から外気と室内の空気との間で熱交換を行って、温度が調整された新鮮な空気（外気）を供給できるようにした熱交換型の換気装置が提案されている。このような熱交換型の換気装置では、例えば、夏季に、外気が室内の空気より冷たい場合や、冬季に、外気が室内の空気より暖かい場合等、外気の温度等によっては、外気と室内の空気との間で熱交換を行うことで得られる効果が少ない場合がある。
【０００３】
そこで、熱交換素子を通らないバイパス風路と、バイパス風路を開閉する風路開閉ダンパを備え、所定の条件下で風路開閉ダンパを開き、空気をバイパス風路に送れるようにした技術が提案されている（例えば、特許文献１参照）。
【先行技術文献】
【特許文献】
【０００４】
【特許文献１】特許第６１４２５０２号公報
【発明の概要】
【発明が解決しようとする課題】
【０００５】
風路開閉ダンパ等の風路開閉部は、モータ等で駆動される構成で可動する部品がある。そのため、点検をできるようにする必要がある。従来は、熱交換素子を装置本体から取り外し、熱交換素子が取り付けられていた空間を通して風路開閉部が着脱できる構成である。このため、風路開閉部の点検のためには、熱交換素子を装置本体から取り外す必要があり、風路開閉部の点検を容易に行うことができなかった。
【０００６】
本発明は、このような課題を解決するためになされたもので、風路開閉部の点検を容易に行えるようにした換気装置を提供することを目的とする。
【課題を解決するための手段】
【０００７】
上述した課題を解決するため、本発明は、屋外から吸い込まれた外気と、室内から吸い込まれた還気との間で熱交換を行う熱交換素子と、熱交換素子が取り付けられる装置本体と、熱交換素子が装置本体に対して挿抜される着脱口と、装置本体の上面部に設けられる通風口と、通風口を通る空気が熱交換素子を通る熱交換風路と、通風口を通る空気が熱交換素子を通らず熱交換素子をバイパスする非熱交換風路と、非熱交換風路を開閉する風路開閉部と、着脱口の外側に設けられ、装置本体に対して風路開閉部が着脱される取付部とを備えた換気装置である。
【０００８】
本発明では、風路開閉部が取り付けられる取付部が、熱交換素子が挿抜される着脱口の外側に設けられ、着脱口を通さずに風路開閉部の着脱が可能である。
【発明の効果】
【０００９】
本発明によれば、装置本体から熱交換素子を取り外すことなく、風路開閉部を装置本体に対して着脱でき、風路開閉部の点検、交換等が容易に行える。
【図面の簡単な説明】
【００１０】
【図１】本実施の形態の熱交換型換気装置の一例を示す断面斜視図である。
【図２】本実施の形態の熱交換型換気装置の風路構成の一例を示す正面断面図である。
【図３】本実施の形態の熱交換型換気装置の風路構成の一例を示す側面断面図である。
【図４】本実施の形態の熱交換型換気装置の風路構成の一例を示す要部断面斜視図である。
【図５】本実施の形態の熱交換型換気装置の外観構成の一例を示す正面図である。
【図６】本実施の形態の熱交換型換気装置の外観構成の一例を示す上面図である。
【図７】本実施の形態の熱交換型換気装置の正面板を取り外した状態を示す斜視図である。
【図８】第１の実施の形態の風路開閉ダンパの一例を示す破断斜視図である。
【図９】第１の実施の形態の風路開閉ダンパの一例を示す外観斜視図である。
【図１０】第１の実施の形態の風路開閉ダンパの着脱構造の一例を示す斜視図である。
【図１１】本実施の形態の熱交換型換気装置が設置される建物の一例を示す模式的な構成図である。
【図１２】本実施の形態の熱交換型換気装置の動作の一例を示す説明図である。
【図１３】本実施の形態の熱交換型換気装置の動作の一例を示す説明図である。
【図１４】第１の実施の形態の風路開閉ダンパの着脱構造の変形例を示す斜視図である。
【図１５】第２の実施の形態の風路開閉ダンパの着脱構造の一例を示す斜視図である。
【発明を実施するための形態】
【００１１】
以下、図面を参照して、本発明の換気装置の実施の形態としての熱交換型換気装置について説明する。
【００１２】
＜本実施の形態の熱交換型換気装置の全体構成例＞
図１は、本実施の形態の熱交換型換気装置の一例を示す断面斜視図である。また、図２は、本実施の形態の熱交換型換気装置の風路構成の一例を示す正面断面図、図３は、本実施の形態の熱交換型換気装置の風路構成の一例を示す側面断面図、図４は、本実施の形態の熱交換型換気装置の風路構成の一例を示す要部断面斜視図である。更に、図５は、本実施の形態の熱交換型換気装置の外観構成の一例を示す正面図、図６は、本実施の形態の熱交換型換気装置の外観構成の一例を示す上面図である。また、図７は、本実施の形態の熱交換型換気装置の正面板を取り外した状態を示す斜視図である。
【００１３】
本実施の形態の熱交換型換気装置１Ａは、装置本体１０が建物の床に設置される形態で使用される。熱交換型換気装置１Ａは、屋外から吸い込まれた外気ＯＡと、室内から吸い込まれた還気ＲＡとの間で熱交換を行う熱交換素子２を装置本体１０に備える。
【００１４】
また、熱交換型換気装置１Ａは、屋外から外気ＯＡを吸い込み、熱交換素子２で還気ＲＡと熱交換された外気ＯＡを、給気ＳＡとして室内に吹き出す給気ファン３ＳＡを装置本体１０に備える。
【００１５】
更に、熱交換型換気装置１Ａは、室内から還気ＲＡを吸い込み、熱交換素子２で外気ＯＡと熱交換された還気ＲＡを、排気ＥＡとして屋外に吹き出す排気ファン３ＥＡを装置本体１０に備える。
【００１６】
熱交換型換気装置１Ａは、装置本体１０の上面部１０Ｕに空気が通る通風口が設けられる構成で、屋外からの外気ＯＡが吸い込まれる外気吸込口１０ＯＡと、室内への給気ＳＡが吹き出される給気吹出口１０ＳＡを、装置本体１０の上面部１０Ｕに備える。また、熱交換型換気装置１Ａは、室内からの還気ＲＡが吸い込まれる還気吸込口１０ＲＡと、屋外への排気ＥＡが吹き出される排気吹出口１０ＥＡを、装置本体１０の上面部１０Ｕに備える。
【００１７】
熱交換型換気装置１Ａは、本例では、通風口の一例である還気吸込口１０ＲＡと給気吹出口１０ＳＡが、装置本体１０の上面部１０Ｕの正面側に並列して設けられ、外気吸込口１０ＯＡと排気吹出口１０ＥＡが、装置本体１０の上面部１０Ｕの背面側に並列して設けられる。
【００１８】
また、熱交換型換気装置１Ａは、還気吸込口１０ＲＡと外気吸込口１０ＯＡが、装置本体１０を正面から見て左側に設けられ、給気吹出口１０ＳＡと排気吹出口１０ＥＡが、装置本体１０を正面から見て右側に設けられる。
【００１９】
熱交換型換気装置１Ａは、還気吸込口１０ＲＡにＲＡダクトジョイント１１ＲＡが取り付けられ、外気吸込口１０ＯＡにＯＡダクトジョイント１１ＯＡが取り付けられる。また、熱交換型換気装置１Ａは、給気吹出口１０ＳＡにＳＡダクトジョイント１１ＳＡが取り付けられ、排気吹出口１０ＥＡにＥＡダクトジョイント１１ＥＡが取り付けられる。
【００２０】
熱交換型換気装置１Ａは、金属等で構成された筐体１１の内側に、気密性及び断熱性を有した材質、本例では発泡スチロールで構成された風路形成部材１２が取り付けられて、装置本体１０が構成される。装置本体１０は、筐体１１の正面側に正面板１１ａが着脱可能に取り付けられ、図７に示すように、正面板１１ａを取り外すことで、装置本体１０の内部の正面側が露出する。
【００２１】
熱交換素子２は熱交換手段の一例で、外気ＯＡが通る第１の熱交換風路２０ａを構成する部材と、還気ＲＡが通る第２の熱交換風路２０ｂを構成する部材が、第１の熱交換風路２０ａと第２の熱交換風路２０ｂとの間での空気の流れが遮蔽された状態となるように交互に積層されて構成される。第２の熱交換風路２０ｂは、熱交換風路の一例である。
【００２２】
熱交換素子２は、本例では、装置本体１０を正面から見て、左側の上部に還気ＲＡが吸い込まれる還気吸込口２１ＲＡが形成され、右側の上部に給気ＳＡが吹き出される給気吹出口２１ＳＡが形成される。また、熱交換素子２は、左側の下部に外気ＯＡが吸い込まれる外気吸込口２１ＯＡが形成され、右側の下部に排気ＥＡが吹き出される排気吹出口２１ＥＡが形成される。
【００２３】
これにより、熱交換素子２の下部の外気吸込口２１ＯＡから吸い込まれ、第１の熱交換風路２０ａを通り、熱交換素子２の上部の給気吹出口２１ＳＡから吹き出される空気と、熱交換素子２の上部の還気吸込口２１ＲＡから吸い込まれ、第２の熱交換風路２０ｂを通り、熱交換素子２の下部の排気吹出口２１ＥＡから吹き出される空気の流れが対向する。
【００２４】
熱交換型換気装置１Ａは、熱交換素子２が取り付けられる熱交換素子取付部１３が、装置本体１０を正面から見て中央付近に設けられる。熱交換素子取付部１３は、風路形成部材１２に空間を設けて構成され、熱交換素子取付部１３の正面側に、熱交換素子２の形状に合わせた形状で、装置本体１０に対して熱交換素子２が挿抜される着脱口１３ａが形成される。
【００２５】
熱交換型換気装置１Ａは、熱交換素子取付部１３に取り付けられる熱交換素子２が前後方向に移動可能に支持される構成を熱交換素子２と熱交換素子取付部１３に備える。熱交換型換気装置１Ａは、装置本体１０の正面板１１ａを取り外すことで着脱口１３ａが露出し、熱交換素子２が前後方向への移動で装置本体１０の正面側から着脱可能に構成される。
【００２６】
給気ファン３ＳＡは給気送風手段の一例、排気ファン３ＥＡは排気送風手段の一例で、給気ファン３ＳＡ及び排気ファン３ＥＡは、回転駆動される多翼の羽根車３０と、羽根車３０を回転させるモータ３０Ｍと、風路を形成するファンケース３１を備える。
【００２７】
ファンケース３１は風路形成手段の一例で、羽根車３０が回転駆動されることで空気が吸い込まれる吸込部であるファン吸込口３１ａと、ファン吸込口３１ａから吸い込まれた空気が吹き出される吹出部であるファン吹出口３１ｂを備える。
【００２８】
給気ファン３ＳＡ及び排気ファン３ＥＡは、ベルマウスと称される円形の開口で構成されるファン吸込口３１ａが、羽根車３０の軸方向に沿って設けられる。また、給気ファン３ＳＡ及び排気ファン３ＥＡは、ファン吸込口３１ａから吸い込まれた空気が、羽根車３０の回転方向に沿ってファン吹出口３１ｂから吹き出される。
【００２９】
熱交換型換気装置１Ａは、給気ファン３ＳＡが取り付けられる給気ファン取付部１４ＳＡが、装置本体１０を正面から見て熱交換素子２の側方、本例では右側の側方の上部に設けられる。給気ファン３ＳＡは、羽根車３０の軸が水平方向に沿った向きで給気ファン取付部１４ＳＡに取り付けられる。また、熱交換型換気装置１Ａは、排気ファン３ＥＡが取り付けられる排気ファン取付部１４ＥＡが、装置本体１０を正面から見て給気ファン取付部１４ＳＡと同じ熱交換素子２の側方、本例では右側の側方の下部に設けられる。排気ファン３ＥＡは、羽根車３０の軸が水平方向に沿った向きで排気ファン取付部１４ＥＡに取り付けられる。
【００３０】
熱交換型換気装置１Ａは、給気ファン取付部１４ＳＡに取り付けられる給気ファン３ＳＡが前後方向に移動可能に支持される構成を給気ファン３ＳＡと給気ファン取付部１４ＳＡに備える。熱交換型換気装置１Ａは、装置本体１０の正面板１１ａを取り外すことで、給気ファン３ＳＡが前後方向への移動で装置本体１０の正面側から着脱可能に構成される。
【００３１】
また、熱交換型換気装置１Ａは、排気ファン取付部１４ＥＡに取り付けられる排気ファン３ＥＡが前後方向に移動可能に支持される構成を排気ファン３ＥＡと排気ファン取付部１４ＥＡに備える。熱交換型換気装置１Ａは、装置本体１０の正面板１１ａを取り外すことで、排気ファン３ＥＡが前後方向への移動で装置本体１０の正面側から着脱可能に構成される。
【００３２】
熱交換型換気装置１Ａは、熱交換素子２の還気吸込口２１ＲＡから吸い込まれる還気ＲＡが通る還気吸込空間１５ＲＡと、熱交換素子２の排気吹出口２１ＥＡから吹き出される排気ＥＡが通る排気吹出空間１５ＥＡを備える。
【００３３】
また、熱交換型換気装置１Ａは、熱交換素子２の外気吸込口２１ＯＡから吸い込まれる外気ＯＡが通る外気吸込空間１５ＯＡと、熱交換素子２の給気吹出口２１ＳＡから吹き出される給気ＳＡが通る給気吹出空間１５ＳＡを備える。
【００３４】
熱交換型換気装置１Ａは、本例では、装置本体１０を正面から見て、風路形成部材１２の左側の上部に還気吸込空間１５ＲＡが形成され、風路形成部材１２の右側の上部に給気吹出空間１５ＳＡが形成される。また、熱交換型換気装置１Ａは、風路形成部材１２の左側の下部に外気吸込空間１５ＯＡが形成され、風路形成部材１２の右側の下部に排気吹出空間１５ＥＡが形成される。
【００３５】
熱交換型換気装置１Ａは、還気吸込空間１５ＲＡの上側に還気吸込口１０ＲＡが位置する風路構成で、還気吸込空間１５ＲＡと装置本体１０の上面部１０Ｕに設けられる還気吸込口１０ＲＡが連通し、還気吸込口１０ＲＡと熱交換素子２の還気吸込口２１ＲＡが、還気吸込空間１５ＲＡを介して連通する。
【００３６】
また、熱交換型換気装置１Ａは、給気吹出空間１５ＳＡの側方に給気ファン３ＳＡが位置する風路構成で、給気吹出空間１５ＳＡと給気ファン３ＳＡのファン吸込口３１ａが連通する。
【００３７】
熱交換型換気装置１Ａは、給気ファン３ＳＡの上側に給気吹出口１０ＳＡが位置する風路構成で、給気ファン３ＳＡのファン吹出口３１ｂと、装置本体１０の上面部１０Ｕに設けられる給気吹出口１０ＳＡが連通し、給気吹出口１０ＳＡと熱交換素子２の給気吹出口２１ＳＡが、給気吹出空間１５ＳＡと給気ファン３ＳＡを介して連通する。
【００３８】
熱交換型換気装置１Ａは、外気吸込口１０ＯＡと外気吸込空間１５ＯＡを連通させた外気吸込風路１６ＯＡを備える。熱交換型換気装置１Ａは、装置本体１０を正面から見て熱交換素子２の側方、本例では左側の風路形成部材１２に、上下方向に延在する空間を設けて外気吸込風路１６ＯＡが構成される。
【００３９】
熱交換型換気装置１Ａは、外気吸込風路１６ＯＡの上部側と、装置本体１０の上面部１０Ｕに設けられる外気吸込口１０ＯＡが連通する。また、熱交換型換気装置１Ａは、外気吸込風路１６ＯＡが装置本体１０の下部に形成される外気吸込空間１５ＯＡの側方まで延在し、外気吸込風路１６ＯＡの下部側と外気吸込空間１５ＯＡが連通する。
【００４０】
更に、熱交換型換気装置１Ａは、外気吸込風路１６ＯＡと還気吸込空間１５ＲＡが風路形成部材１２で仕切られる。
【００４１】
これにより、熱交換型換気装置１Ａは、外気吸込口１０ＯＡと熱交換素子２の外気吸込口２１ＯＡが、外気吸込風路１６ＯＡと外気吸込空間１５ＯＡを介して連通する。また、外気吸込風路１６ＯＡが熱交換素子２の側方に設けられることで隣接した外気吸込風路１６ＯＡと還気吸込空間１５ＲＡが、風路形成部材１２で隔絶される。
【００４２】
また、熱交換型換気装置１Ａは、排気吹出空間１５ＥＡと排気吹出口１０ＥＡを、排気ファン３ＥＡを介して連通させた排気吹出風路１６ＥＡを備える。熱交換型換気装置１Ａは、装置本体１０を正面から見て熱交換素子２の側方、本例では右側の風路形成部材１２に、上下方向に延在する空間を設けて排気吹出風路１６ＥＡが構成される。
【００４３】
熱交換型換気装置１Ａは、排気吹出空間１５ＥＡの側方に排気ファン３ＥＡが位置する風路構成で、排気吹出空間１５ＥＡと排気ファン３ＥＡのファン吸込口３１ａが連通し、排気ファン３ＥＡのファン吹出口３１ｂと排気吹出風路１６ＥＡの下部側が連通する。
【００４４】
また、熱交換型換気装置１Ａは、排気吹出風路１６ＥＡが給気ファン３ＳＡの後方を通り、排気吹出風路１６ＥＡの上部側と、装置本体１０の上面部１０Ｕに設けられる排気吹出口１０ＥＡが連通する。
【００４５】
更に、熱交換型換気装置１Ａは、排気吹出風路１６ＥＡと給気吹出空間１５ＳＡが風路形成部材１２で仕切られる。
【００４６】
これにより、熱交換型換気装置１Ａは、排気吹出口１０ＥＡと熱交換素子２の排気吹出口２１ＥＡが、排気吹出空間１５ＥＡと排気ファン３ＥＡと排気吹出風路１６ＥＡを介して連通する。また、排気吹出風路１６ＥＡが熱交換素子２の側方に設けられることで隣接した排気吹出風路１６ＥＡと給気吹出空間１５ＳＡが、風路形成部材１２で隔絶される。
【００４７】
これにより、熱交換型換気装置１Ａは、外気吸込口１０ＯＡ、外気吸込風路１６ＯＡ、外気吸込空間１５ＯＡ、熱交換素子２の第１の熱交換風路２０ａ、給気吹出空間１５ＳＡ、給気ファン３ＳＡ及び給気吹出口１０ＳＡが連通した給気風路１７ＳＡが形成される。
【００４８】
また、熱交換型換気装置１Ａは、還気吸込口１０ＲＡ、還気吸込空間１５ＲＡ、熱交換素子２の第２の熱交換風路２０ｂ、排気吹出空間１５ＥＡ、排気ファン３ＥＡ、排気吹出風路１６ＥＡ及び排気吹出口１０ＥＡが連通した排気風路１７ＥＡが形成される。
【００４９】
熱交換型換気装置１Ａは、熱交換素子２の第２の熱交換風路２０ｂをバイパスさせるバイパス風路１８を備える。バイパス風路１８は非熱交換風路の一例で、還気吸込空間１５ＲＡと排気吹出空間１５ＥＡとが連通する空間を、熱交換素子２の後方の風路形成部材１２に設けて構成される。
【００５０】
バイパス風路１８は、還気吸込空間１５ＲＡの後面側から前方へ、還気吸込空間１５ＲＡの内部に突出する形態でバイパス風路入口１８ａが形成されると共に、排気吹出空間１５ＥＡの後面側に設けた開口でバイパス風路出口１８ｂが形成される。
【００５１】
バイパス風路入口１８ａは風路入口の一例で、還気吸込空間１５ＲＡの後面側から還気吸込口１０ＲＡの下側まで突出するバイパス風路入口形成部材１８ｃの正面側に設けられる。バイパス風路入口形成部材１８ｃは、装置本体１０の上面部１０Ｕに対して略垂直な面に設けた開口を備え、該開口で装置本体１０の正面側を向いたバイパス風路入口１８ａが形成される。
【００５２】
熱交換型換気装置１Ａは、バイパス風路１８を開閉する風路開閉ダンパ４Ａを備える。熱交換型換気装置１Ａは、還気吸込空間１５ＲＡに設けたバイパス風路入口１８ａに、このバイパス風路入口１８ａを開閉する構成を有した風路開閉ダンパ４Ａが取り付けられる。
【００５３】
図８は、第１の実施の形態の風路開閉ダンパの一例を示す破断斜視図、図９は、第１の実施の形態の風路開閉ダンパの一例を示す外観斜視図、図１０は、第１の実施の形態の風路開閉ダンパの着脱構造の一例を示す斜視図である。風路開閉ダンパ４Ａは風路開閉部の一例で、バイパス風路入口１８ａ及び風路開口部４０を開閉する開閉板４１と、開閉板４１を駆動するモータを備えた駆動部４２と、風路開口部４０が形成されると共に、開閉板４１と駆動部４２が取り付けられる筐体４３を備える。
【００５４】
風路開閉ダンパ４Ａは、筐体４３の下部を開口して、風路開口部４０が還気吸込空間１５ＲＡと対向して設けられる。また、開閉板４１が軸４１ａを支点として回転可能に筐体４３に取り付けられる。開閉板４１は、略四角形状の下端部が軸４１ａで筐体４３に支持される。駆動部４２は、軸４１ａを回転させることで開閉板４１を回転させ、開閉板４１でバイパス風路入口１８ａを開く。
【００５５】
風路開閉ダンパ４Ａは、開閉板４１の軸４１ａが、バイパス風路入口１８ａに沿った位置に設けられる。軸４１ａを支点とした回転動作で開閉板４１がバイパス風路入口１８ａを開くと、風路開口部４０が開閉板４１で閉じられる。また、開閉板４１の開度を制御することで、バイパス風路入口１８ａと風路開口部４０の両方を開くことができ、バイパス風路１８に流れる空気の風量と、熱交換素子２に流れる空気の風量を制御可能である。更に、軸４１ａを支点とした回転動作で開閉板４１が風路開口部４０を開くと、バイパス風路入口１８ａが開閉板４１で閉じられる。
【００５６】
また、風路開閉ダンパ４Ａは、筐体４３の上端部に、外周に向かって突出するフランジ部４４を備える。風路開閉ダンパ４Ａは、筐体４３が還気吸込口１０ＲＡに入る大きさで構成され、フランジ部４４が還気吸込口１０ＲＡより大きく構成される
【００５７】
第１の実施の形態の風路開閉ダンパ４Ａは、還気吸込口１０ＲＡに設けた取付部１０Ａに取り付けられ、装置本体１０に対して着脱可能に構成される。取付部１０Ａは、還気吸込口１０ＲＡの周縁に沿った装置本体１０の上面部１０Ｕに形成される。還気吸込口１０ＲＡは、装置本体１０の上面部１０Ｕに設けられており、取付部１０Ａは、装置本体１０の正面側に設けられる熱交換素子２の着脱口１３ａの外側に設けられる。
【００５８】
風路開閉ダンパ４Ａは、開閉板４１、駆動部４２及び筐体４３等の構成要素が組み立てられた組立体が、還気吸込口１０ＲＡを通して還気吸込空間１５ＲＡの内部に出し入れ可能に構成される。
【００５９】
風路開閉ダンパ４Ａは、還気吸込口１０ＲＡを通して還気吸込空間１５ＲＡの内部に入れられることで、フランジ部４４が装置本体１０の上面部１０Ｕの取付部１０Ａに載置され、位置が規定される。
【００６０】
熱交換型換気装置１Ａは、還気吸込口１０ＲＡに塞ぎ板４５が取り付けられ、塞ぎ板４５にダクト取付部材であるＲＡダクトジョイント１１ＲＡが取り付けられる。塞ぎ板４５は押さえ部材の一例で、ＲＡダクトジョイント１１ＲＡの下端部に設けた外周に向かって突出するフランジ部１１ＲＡｆの形状に合わせて還気吸込口１０ＲＡの一部を塞ぐ形状で構成される。
【００６１】
そして、風路開閉ダンパ４Ａは、塞ぎ板４５と装置本体１０の上面部１０Ｕの取付部１０Ａとの間にフランジ部４４を挟んだ形態として、塞ぎ板４５が締結部材であるネジ４５ａで取付部１０Ａに固定されることで、装置本体１０に取り付けられる。
【００６２】
また、ＲＡダクトジョイント１１ＲＡのフランジ部１１ＲＡｆがネジ４５ｂで塞ぎ板４５に固定されることで、ＲＡダクトジョイント１１ＲＡが還気吸込口１０ＲＡに取り付けられる。
【００６３】
バイパス風路入口１８ａが、装置本体１０の上面部１０Ｕに対して略垂直な面に設けられるので、風路開閉ダンパ４Ａは、取付部１０Ａに取り付けられると、筐体４３がバイパス風路入口形成部材１８ｃとつながり、開閉板４１がバイパス風路入口１８ａを開閉可能な位置に設けられる。
【００６４】
これにより、熱交換型換気装置１Ａは、風路開閉ダンパ４Ａの開閉板４１の開閉で、還気ＲＡの全量を熱交換素子２の第２の熱交換風路２０ｂに通す風路と、還気ＲＡの略全量をバイパス風路１８に通す風路が切り替えられる。
【００６５】
ここで、熱交換型換気装置１Ａは、風路開閉ダンパ４Ａが還気吸込空間１５ＲＡの内部に突出する形態とすることで、還気吸込空間１５ＲＡの容積を減少させている。また、風路開閉ダンパ４Ａの開閉板４１でバイパス風路入口１８ａを開くと、還気吸込空間１５ＲＡと連通する風路開口部４０が開閉板４１で閉じられ、還気吸込口１０ＲＡから吸い込まれる空気の略全量がバイパス風路１８に流れる。
【００６６】
これにより、風路開閉ダンパ４Ａでバイパス風路入口１８ａを閉じることで還気吸込口１０ＲＡから熱交換素子２へ流れる空気の風量と、風路開閉ダンパ４Ａでバイパス風路入口１８ａを開くことで還気吸込口１０ＲＡからバイパス風路１８に流れる空気の風量の適正化を図っている。
【００６７】
更に、熱交換型換気装置１Ａは、外気吸込口１０ＯＡの直下まで、バイパス風路１８が延在し、バイパス風路１８がバイパス風路入口形成部材１８ｃと連通することで、風路の開口面積の減少を抑制し、風量を確保している。一方、外気吸込口１０ＯＡと連通する外気吸込風路１６ＯＡは、外気吸込口１０ＯＡに対して左右方向に位置がずれている。そこで、外気吸込口１０ＯＡから吸込まれる外気の通気抵抗を抑制するため、図４に示すように、外気吸込口１０ＯＡの直下に、外気吸込風路１６ＯＡとつながる斜面部１６ａを設けて、外気吸込口１０ＯＡと外気吸込風路１６ＯＡを連通させる。
【００６８】
熱交換型換気装置１Ａは、給気風路１７ＳＡにフィルタ５を備える。熱交換型換気装置１Ａは、空気が上部から下部へと流れる外気吸込風路１６ＯＡにフィルタ５が着脱可能に取り付けられる。
【００６９】
＜本実施の形態の換気装置の設置例＞
図１１は、本実施の形態の熱交換型換気装置が設置される建物の一例を示す模式的な構成図である。熱交換型換気装置１Ａは、建物１００に設けた設置室１０１に、フィルタ５を交換する際に開閉される蓋部１１ｂの開閉、装置本体１０の上方からの操作、作業での風路開閉ダンパ４Ａの点検、交換、及び正面板１１ａを取り外しての熱交換素子２、給気ファン３ＳＡ及び排気ファン３ＥＡの点検、交換等、装置本体１０内の所定のメンテナンスが可能な形態で設置される。
【００７０】
熱交換型換気装置１Ａは、ＯＡダクトジョイント１１ＯＡにＯＡダクト７１ＯＡが接続される。ＯＡダクト７１ＯＡは、建物１００の天井等に配置され、外壁に設けたＯＡ吸込グリル７２ＯＡと接続される。また、熱交換型換気装置１Ａは、ＥＡダクトジョイント１１ＥＡにＥＡダクト７１ＥＡが接続される。ＥＡダクト７１ＥＡは、建物１００の天井等に配置され、外壁に設けたＥＡ吹出グリル７２ＥＡと接続される。
【００７１】
更に、熱交換型換気装置１Ａは、ＳＡダクトジョイント１１ＳＡにＳＡダクト７１ＳＡが接続される。ＳＡダクト７１ＳＡは、建物１００の天井等に配置され、居室１０２の天井等に設けたＳＡ吹出グリル７２ＳＡと接続される。また、熱交換型換気装置１Ａは、ＲＡダクトジョイント１１ＲＡにＲＡダクト７１ＲＡが接続される。ＲＡダクト７１ＲＡは、建物１００の天井等に配置され、居室１０２の天井等に設けたＲＡ吸込グリル７２ＲＡと接続される。
【００７２】
＜本実施の形態の熱交換型換気装置の動作例＞
図１２及び図１３は、本実施の形態の熱交換型換気装置の動作の一例を示す説明図で、次に、各図を参照して、本実施の形態の熱交換型換気装置１Ａの動作例について説明する。
【００７３】
熱交換型換気装置１Ａは、外気ＯＡの温度、外気ＯＡと還気ＲＡの温度差、外気ＯＡの温度及び外気ＯＡと還気ＲＡの温度差等の温度情報に基づき、バイパス風路１８を閉じる温度であると判断すると、図１２に示すように、駆動部４２を制御して開閉板４１を閉位置に移動させ、風路開閉ダンパ４Ａで風路開口部４を開きバイパス風路１８のバイパス風路入口１８ａを閉じる。また、通常の給気風量及び排気風量となるように、給気ファン３ＳＡと排気ファン３ＥＡの風量を制御する。
【００７４】
熱交換型換気装置１Ａは、給気ファン３ＳＡが駆動されると、給気風路１７ＳＡを通る空気の流れが生じ、ＯＡ吸込グリル７２ＯＡから外気ＯＡが吸い込まれる。ＯＡ吸込グリル７２ＯＡから吸い込まれた外気ＯＡは、ＯＡダクト７１ＯＡを通り外気吸込口１０ＯＡから装置本体１０内に吸い込まれる。
【００７５】
外気吸込口１０ＯＡから装置本体１０内に吸い込まれる外気ＯＡは、外気吸込風路１６ＯＡからフィルタ５を通り、外気吸込空間１５ＯＡから熱交換素子２の外気吸込口２１ＯＡに導入される。
【００７６】
熱交換素子２に外気吸込口２１ＯＡから導入された外気ＯＡは、熱交換素子２の第１の熱交換風路２０ａを通り、熱交換素子２の給気吹出口２１ＳＡから給気吹出空間１５ＳＡを通り、給気ファン３ＳＡのファン吸込口３１ａに吸い込まれる。
【００７７】
給気ファン３ＳＡに吸い込まれた空気は、給気ファン３ＳＡのファン吹出口３１ｂから吹き出され、給気ファン３ＳＡから吹き出された空気は、給気吹出口１０ＳＡから給気ＳＡとして装置本体１０外へ吹き出される。そして、給気吹出口１０ＳＡから吹き出された給気ＳＡは、ＳＡダクト７１ＳＡを通り、ＳＡ吹出グリル７２ＳＡから居室１０２に吹き出される。
【００７８】
一方、熱交換型換気装置１Ａは、排気ファン３ＥＡが駆動されると、排気風路１７ＥＡを通る空気の流れが生じ、ＲＡ吸込グリル７２ＲＡから居室１０２の空気である還気ＲＡが吸い込まれる。ＲＡ吸込グリル７２ＲＡから吸い込まれた還気ＲＡは、ＲＡダクト７１ＲＡを通り還気吸込口１０ＲＡから装置本体１０内に吸い込まれる。
【００７９】
還気吸込口１０ＲＡから装置本体１０内に吸い込まれる還気ＲＡは、還気吸込空間１５ＲＡから熱交換素子２の還気吸込口２１ＲＡに導入される。熱交換素子２に還気吸込口２１ＲＡから導入された還気ＲＡは、熱交換素子２の第２の熱交換風路２０ｂを通り、熱交換素子２の排気吹出口２１ＥＡから排気吹出空間１５ＥＡを通り、排気ファン３ＥＡのファン吸込口３１ａに吸い込まれる。
【００８０】
排気ファン３ＥＡに吸い込まれた空気は、排気ファン３ＥＡのファン吹出口３１ｂから吹き出され、排気ファン３ＥＡから吹き出された空気は、排気吹出風路１６ＥＡを通り、排気吹出口１０ＥＡから排気ＥＡとして装置本体１０外へ吹き出される。そして、排気吹出口１０ＥＡから吹き出された排気ＥＡは、ＥＡダクト７１ＥＡを通り、ＥＡ吹出グリル７２ＥＡから屋外に吹き出される。
【００８１】
熱交換型換気装置１Ａは、熱交換素子２では、外気ＯＡと還気ＲＡの間で熱交換が行われることで、室温に近づけられた給気ＳＡが室内に吹き出され、温度が調整された新鮮な空気（外気ＯＡ）が室内に供給される。また、室内の汚れた空気が屋外に排気されて、室温の変動を抑えて換気が行われる。
【００８２】
風路開閉ダンパ４Ａは、開閉板４１の軸４１ａが、バイパス風路入口１８ａに沿った位置に設けられることで、開閉板４１が風路開口部４０を開いた状態では、還気吸込口１０ＲＡと還気吸込空間１５ＲＡを連通した風路に開閉板４１が突出する量が抑えられる。これにより、還気吸込口１０ＲＡから吸い込まれ、熱交換素子２に送られる空気の通気抵抗が抑制される。
【００８３】
さて、春季及び秋季では、屋外と室内の温度差が一般的に小さく、外気ＯＡと還気ＲＡとの間で熱交換を行っても、熱交換前の外気ＯＡと熱交換後の給気ＳＡとの間で温度変化が少ない場合がある。また、夏季に、外気の温度が室内の空気の温度より低い場合、外気ＯＡと還気ＲＡとの間で熱交換を行うと、外気ＯＡが還気ＲＡで温められることで給気ＳＡの温度が上がり、室内が温かく感じる場合がある。
【００８４】
そこで、外気ＯＡの温度、外気ＯＡと還気ＲＡの温度差、外気ＯＡの温度及び外気ＯＡと還気ＲＡの温度差等の温度情報に基づき、春季あるいは秋季に相当する温度、または、夏季で外気ＯＡと還気ＲＡとの温度が所定の関係である場合であって、バイパス風路１８を開く温度であると、駆動部４２を制御して、図１３に示すように、開閉板４１で風路開口部４０を閉じた状態として、風路開閉ダンパ４Ａでバイパス風路１８のバイパス風路入口１８ａを開ける。
【００８５】
熱交換型換気装置１Ａでは、風路開閉ダンパ４Ａが開けられると、排気風路１７ＥＡを通る還気ＲＡの略全量が、熱交換素子２をバイパスしてバイパス風路１８を通る。熱交換素子２は風路が狭く通気抵抗が大きい。このため、還気ＲＡの略全量をバイパス風路１８に通し、熱交換素子２をバイパスさせることで、通気抵抗を減らすことができる。
【００８６】
また、外気ＯＡが氷点下になるような冬季では、高湿の還気ＲＡと低温の外気ＯＡとの間で熱交換が行われることで、還気ＲＡの温度が下げられると、熱交換素子２における還気ＲＡの吹出口である排気吹出口２１ＥＡが凍結する場合がある。更に、外気の温度が室内の空気の温度より暖かい場合、外気ＯＡと還気ＲＡとの間で熱交換を行うと、外気ＯＡが還気ＲＡで冷やされることで給気ＳＡの温度が下がり、室内が寒く感じる場合がある。
【００８７】
そこで、外気ＯＡの温度、外気ＯＡと還気ＲＡの温度差、外気ＯＡの温度及び外気ＯＡと還気ＲＡの温度差等の温度情報に基づき、冬季に相当する温度であって、バイパス風路１８を開く温度であると、風路開閉ダンパ４Ａを開けて、還気ＲＡの略全量をバイパス風路１８に通し、熱交換素子２をバイパスさせる。
【００８８】
これにより、熱交換されておらず温度が下げられていない還気ＲＡが排気吹出空間１５ＥＡに吹き出され、熱交換素子２の排気吹出口２１ＥＡを暖めることができ、排気吹出口２１ＥＡの凍結を防止することができる。なお、風路開閉ダンパ４Ａの開度を制御することで、熱交換素子２とバイパス風路１８の両方に所定量の空気を通すことも可能である。
【００８９】
＜風路開閉ダンパの作用効果例＞
次に、風路開閉ダンパ４Ａを装置本体１０に対して着脱する動作について説明する。風路開閉ダンパ４Ａを装置本体１０から取り外す場合、装置本体１０の上方からの操作でネジ４５ａを外すことで、ＲＡダクトジョイント１１ＲＡが取り付けられた状態で塞ぎ板４５が装置本体１０の上面部１０Ｕから外される。そして、風路開閉ダンパ４Ａは、還気吸込口１０Ｒから還気吸込空間１５ＲＡの外部に取り出される。これにより、風路開閉ダンパ４Ａは、装置本体１０の上面部１０Ｕから、還気吸込口１０Ｒを通して還気吸込空間１５ＲＡの外部に取り外される。
【００９０】
風路開閉ダンパ４Ａを装置本体１０に取り付ける場合、還気吸込口１０Ｒから還気吸込空間１５ＲＡの内部に風路開閉ダンパ４Ａが入れられる。風路開閉ダンパ４Ａは、塞ぎ板４５と装置本体１０の上面部１０Ｕの取付部１０Ａとの間にフランジ部４４を挟んだ形態として、塞ぎ板４５がネジ４５ａで取付部１０Ａに固定される。これにより、風路開閉ダンパ４Ａは、装置本体１０の上面部１０Ｕから、還気吸込口１０Ｒを通して還気吸込空間１５ＲＡの内部に取り付けられる。
【００９１】
図１１に示すように、熱交換型換気装置１Ａは、建物１００に設けた設置室１０１に設置されるが、装置本体１０の左右には、装置本体１０の内部の保守点検の作業に適した空間は形成されていない。そこで、装置本体１０の正面側の正面板１１ａを外すことで、装置本体１０の内部の保守点検の作業を可能としている。
【００９２】
一方、装置本体１０の上側には、ＲＡダクト７１ＲＡ等を接続するため、空間が設けられている。そこで、風路開閉ダンパ４Ａを、装置本体１０の上面部１０Ｕから、還気吸込口１０Ｒを通して還気吸込空間１５ＲＡの内部に出し入れ可能とし、還気吸込口１０Ｒに着脱可能に取り付けられるようにした。
【００９３】
これにより、装置本体１０の上方に設けられた空間を利用し、装置本体１０の上方からの操作で風路開閉ダンパ４Ａの着脱が可能であり、正面板１１ａを取り外すことなく、また、熱交換素子２を装置本体１０から取り外すことなく、風路開閉ダンパ４Ａの着脱が可能である。よって、風路開閉ダンパ４Ａの保守点検が容易に行える。
【００９４】
また、風路開閉ダンパ４Ａは、フランジ部４４が、塞ぎ板４５と、装置本体１０の上面部１０Ｕの取付部１０Ａとの間に挟まれる形態で固定されるので、フランジ部４４が還気吸込口１０ＲＡの周縁の取付部１０Ａに押し付けられる。これにより、風路開閉ダンパ４Ａの位置決めが行えると共に、風路開閉ダンパ４Ａの取付箇所での気密性を保つことができる。
【００９５】
更に、塞ぎ板４５にＲＡダクトジョイント１１ＲＡを取り付ける構成とすることで、ＲＡダクトジョイント１１ＲＡのフランジ部１１ＲＡｆの形状を、風路開閉ダンパ４Ａのフランジ部４４及び取付部１０Ａの形状に合わせる必要がない。これにより、汎用のダクトジョイントをＲＡダクトジョイント１１ＲＡとして使用できる。
【００９６】
図１４は、第１の実施の形態の風路開閉ダンパの着脱構造の変形例を示す斜視図である。風路開閉ダンパ４Ａは、還気吸込口１０ＲＡに設けた取付部１０Ａに取り付けられ、装置本体１０に対して着脱可能に構成される。取付部１０Ａは、還気吸込口１０ＲＡの周縁に沿った装置本体１０の上面部１０Ｕに形成され、装置本体１０の正面側に設けられる熱交換素子２の着脱口１３ａの外側に設けられる。
【００９７】
ＲＡダクトジョイント１１ＲＡｂはダクト取付部材の一例で、外周に向かって突出するフランジ部１１ＲＡｆｂを下端部に備える。フランジ部１１ＲＡｆｂは押さえ部材の一例で、取付部１０Ａの形状に合わせて還気吸込口１０ＲＡの一部を塞ぐ形状で構成される。
【００９８】
風路開閉ダンパ４Ａは、ＲＡダクトジョイント１１ＲＡｂのフランジ部１１ＲＡｆｂと、装置本体１０の上面部１０Ｕの取付部１０Ａとの間にフランジ部４４を挟んだ形態として、ＲＡダクトジョイント１１ＲＡｂのフランジ部１１ＲＡｆｂが図示しないネジで取付部１０Ａに固定されることで、装置本体１０に取り付けられる。
【００９９】
これにより、塞ぎ板を用いることなく、ＲＡダクトジョイント１１ＲＡｂの着脱で、装置本体１０の上方に設けられた空間を利用し、装置本体１０の上方からの操作で風路開閉ダンパ４Ａの着脱が可能である。よって、正面板１１ａを取り外すことなく、また、熱交換素子２を装置本体１０から取り外すことなく、風路開閉ダンパ４Ａの着脱が可能であり、風路開閉ダンパ４Ａの保守点検が容易に行える。
【０１００】
図１５は、第２の実施の形態の風路開閉ダンパの着脱構造の一例を示す斜視図である。装置本体１０は、熱交換素子２の着脱口１３ａの上側に、風路開閉ダンパ４Ｂの取付部１０Ｂを備える。取付部１０Ｂは、図２等に示す還気吸込空間１５ＲＡとつながる開口を、着脱口１３ａの外側で、装置本体１０の正面側に設けて構成される。
【０１０１】
風路開閉ダンパ４Ｂは風路開閉部の一例で、取付部１０Ｂを通して還気吸込空間１５ＲＡの内部に出し入れ可能で、取付部１０Ｂに図示しないネジで押さえ部材４６を固定することで、装置本体１０に取り付けられる。
【０１０２】
これにより、正面板１１ａを取り外し、装置本体１０の正面からの操作で風路開閉ダンパ４Ｂの着脱が可能であり、熱交換素子２を装置本体１０から取り外すことなく、風路開閉ダンパ４Ｂの着脱が可能である。よって、風路開閉ダンパ４Ｂの保守点検が容易に行える。
【符号の説明】
【０１０３】
１Ａ・・・熱交換型換気装置、１０・・・装置本体、１０Ａ、１０Ｂ・・・取付部、１０Ｕ・・・上面部、１０ＯＡ・・・外気吸込口、１０ＳＡ・・・給気吹出口、１０ＲＡ・・・還気吸込口（通風口）、１０ＥＡ・・・排気吹出口、１１・・・筐体、１１ａ・・・正面板、１１ＯＡ・・・ＯＡダクトジョイント、１１ＳＡ・・・ＳＡダクトジョイント、１１ＲＡ・・・ＲＡダクトジョイント（ダクト取付部材）、１１ＲＡｆ・・・フランジ部、１１ＲＡｂ・・・ＲＡダクトジョイント（ダクト取付部材）、１１ＲＡｆｂ・・・フランジ部、１１ＥＡ・・・ＥＡダクトジョイント、１２・・・風路形成部材、１３・・・熱交換素子取付部、１３ａ・・・着脱口、１４ＳＡ・・・給気ファン取付部、１４ＥＡ・・・排気ファン取付部、１５ＯＡ・・・外気吸込空間、１５ＳＡ・・・給気吹出空間、１５ＲＡ・・・還気吸込空間、１５ＥＡ・・・排気吹出空間、１６ＯＡ・・・外気吸込風路、１６ａ・・・斜面部、１６ＥＡ・・・排気吹出風路、１７ＳＡ・・・給気風路、１７ＥＡ・・・排気風路、１８・・・バイパス風路（非熱交換風路）、１８ａ・・・バイパス風路入口（風路入口）、１８ｂ・・・バイパス風路出口、１８ｃ・・・バイパス風路入口形成部材、２・・・熱交換素子、２０ａ・・・第１の熱交換風路、２０ｂ・・・第２の熱交換風路（熱交換風路）、２１ＯＡ・・・外気吸込口、２１ＳＡ・・・給気吹出口、２１ＲＡ・・・還気吸込口、２１ＥＡ・・・排気吹出口、３ＳＡ・・・給気ファン、３ＥＡ・・・排気ファン、３０・・・羽根車、３０Ｍ・・・モータ、３１・・・ファンケース、３１ａ・・・ファン吸込口、３１ｂ・・・ファン吹出口、４Ａ、４Ｂ・・・風路開閉ダンパ（風路開閉部）、４０・・・風路開口部、４１・・・開閉板、４１ａ・・・軸、４２・・・駆動部、４３・・・筐体、４４・・・フランジ部、４５・・・塞ぎ板（押さえ部材）、４５ａ・・・ネジ、４５ｂ・・・ネジ、４６・・・押さえ部材
【図１】
2019158244.tif 000003
【図２】
2019158244.tif 000004
【図３】
2019158244.tif 000005
【図４】
2019158244.tif 000006
【図５】
2019158244.tif 000007
【図６】
2019158244.tif 000008
【図７】
2019158244.tif 000009
【図８】
2019158244.tif 000010
【図９】
2019158244.tif 000011
【図１０】
2019158244.tif 000012
【図１１】
2019158244.tif 000013
【図１２】
2019158244.tif 000014
【図１３】
2019158244.tif 000015
【図１４】
2019158244.tif 000016
【図１５】
2019158244.tif 000017